(57)【特許請求の範囲】
【請求項１】
複数のレンズ群と、前記複数のレンズ群を光軸方向に移動させるレンズ群移動手段を有し、前記レンズ群移動手段により、前記複数のレンズ群の光軸方向の間隔を変化させ、焦点距離を変化させるとともに焦点調整を行うズームレンズ鏡胴において、
前記レンズ群移動手段は、前記複数のレンズ群のうち少なくとも１つのレンズ群を光軸方向に移動させる第１のレンズ群移動手段と、他の１つのレンズ群を光軸方向に移動させる第２のレンズ群移動手段とを有し、
前記第２のレンズ群移動手段は、前記第１のレンズ群移動手段によるレンズ群の移動に対応して、前記他の１つのレンズ群を遠距離に合焦する位置から至近距離に合焦する位置に移動させる案内溝と、至近距離に合焦する位置から遠距離に合焦する位置に移動させる案内溝とが、交互に形成されていることを特徴とするズームレンズ鏡胴。
【請求項２】
前記レンズ群移動手段は、単一のモータの駆動により前記複数のレンズ群を移動させることを特徴とする請求項１に記載のズームレンズ鏡胴。
【請求項３】
前記モータの一方向の回転により、前記レンズ群移動手段による前記複数のレンズ群のフォーカシングのための移動を行うことを特徴とする請求項１又は請求項２に記載のズームレンズ鏡胴。
【請求項４】
前記遠距離に合焦する位置から至近距離に合焦する位置に移動させる案内溝と、前記至近距離に合焦する位置から遠距離に合焦する位置に移動させる案内溝との隣接する端部を滑らかに接続する案内溝を設けたことを特徴とする請求項１〜３のいずれか１項に記載のズームレンズ鏡胴。
【発明の詳細な説明】
【０００１】
【産業上の利用分野】
本願発明はカメラの撮影レンズであるズームレンズを保持するズームレンズ鏡胴に関する。
【０００２】
【従来の技術】
近年、レンズシャッタカメラや一眼レフカメラにおいて、撮影レンズにズームレンズを用いることが一般的になっている。ズームレンズは焦点距離、即ち撮影倍率を変化させるレンズであり、その最も長い焦点距離と最も短い焦点距離との比である変倍比を高める高変倍比化とズームレンズ鏡胴の小型化に関する技術競争が激化している。高変倍比化と小型化とは相反する技術であるが、高変倍比においても鏡胴を増大させることのないズームレンズ鏡胴が各種提案されている。
【０００３】
この１例として、本出願人による特願平５−１０４４５６号公報に記載されたズームレンズ鏡胴がある。従来のズームレンズ鏡胴は、焦点距離の変化即ちズーミングと、焦点調節即ちフォーカシングとを夫々別個の機構で行っていたが、本公報によればズーミングとフォーカシングとを同一の機構で行うことができるように構成したため、非常に小型なズームレンズ鏡胴を実現することができる。
【０００４】
前記公報は、最も長い焦点距離と最も短い焦点距離との間を所定の数の段数即ちステップ数の焦点距離に区切った、所謂ステップズーム方式である。このステップズームを図１のズーム線図で説明する。同図において、横軸は焦点距離の変化を示し、Ｗは最も焦点距離が短い状態を示し、Ｍ１，Ｍ２と逐次焦点距離が長くなり、Ｔで最も焦点距離が長くなる。このようにズーミングにおいて焦点距離を４ステップに切り替えることができる。縦軸はズームレンズの前群と後群との光軸方向への移動量を示す。前群は回動するカム筒とヘリコイド螺合しているので、鏡枠の回動と共に直線的な移動を行う。一方、後群はカム筒にレンズ群を移動させる案内部として刻まれたカムにより駆動され、撮影距離Ｕは∞即ち無限遠の焦点位置とＮ即ち至近距離の焦点位置との間を山形の形状を繰り返して移動するようにカムが形成されている。例えば、焦点距離がＷの位置に設定されたとき、フォーカシングを行うと撮影距離に応じてＷと▲１▼の間で前群と後群が移動し、望遠側に１ステップのズーミングを行うと▲１▼を経由してＭ１の位置に前群と後群が移動する。同様に、望遠側に２ステップのズーミングを行えば、▲１▼，Ｍ１，▲２▼を経由してＭ２の位置に移動する。このように前群と後群の移動によりフォーカシングとズーミングを繰り返し行うように構成されているので、フォーカシング用の機構とズーミング用の機構とを同一の機構で構成でき、必然的に部品点数が低減して簡単な構成になるので、小型なズームレンズ鏡胴を実現できる。
【０００５】
【発明が解決しようとする課題】
以上説明した公報による発明は、ズームレンズ鏡胴の小型化に非常に寄与するものであり、この発明を適用したカメラも製品化されている。しかし、製品化されたカメラに搭載されたレンズは２倍のズームレンズであり、更に高変倍比のズームレンズを搭載することにすると、上記の発明では必ずしも充分とは言えない点がある。
【０００６】
即ち、より高変倍比のズームレンズを用いるときは、高変倍比の特徴を生かすため、ステップ数をより多く設ける必要がある。図２にズーム線図の拡大図を示すが、前述と同様に焦点距離ＭＷのときフォーカシングを行うと後群は▲１▼と▲２▼の間を移動する。次に望遠側に１ステップのズーミングを行うと、後群は▲１▼から▲２▼を経由して▲３▼まで移動し焦点距離ＭＴになるとする。このようなズーム線図において、高変倍のズームレンズを用いることによりステップ数を増やし、ＭＷとＭＴの中間にＭＭを設け、１ステップのズーミングを行うと、▲２▼を経由して▲４▼まで移動し焦点距離ＭＭになるとする。すると、同図から容易に分かるように、後群における▲２▼〜▲３▼の勾配θ１と▲２▼〜▲４▼の勾配θ２と比較すると、勾配θ２の方が傾斜がきつくなり、後群の作動のための機械的負荷が増大し、傾斜によっては作動が困難になる。
【０００７】
従って、勾配θ２を小さくして後群の作動を容易にするためには、ステップ間隔を拡大する必要がある。しかし、横軸方向に拡大することは、カムを形成するカム筒の周長即ちカム筒の径の拡大となり、その結果太い鏡胴になってしまう。
【０００８】
本願発明は以上の問題に鑑み、変倍比の増大に伴ってステップ数が増加しても、カム筒の周長即ちカム筒の径の増大がなく、且つ機械的負荷の増大のないズームレンズ鏡胴を提案するものである。
【０００９】
【課題を解決するための手段】
上記課題は本願発明における、複数のレンズ群と、前記複数のレンズ群を光軸方向に移動させるレンズ群移動手段を有し、前記レンズ群移動手段により、前記複数のレンズ群の光軸方向の間隔を変化させ、焦点距離を変化させるとともに焦点調整を行うズームレンズ鏡胴において、前記レンズ群移動手段は、前記複数のレンズ群のうち少なくとも１つのレンズ群を光軸方向に移動させる第１のレンズ群移動手段と、他の１つのレンズ群を光軸方向に移動させる第２のレンズ群移動手段とを有し、前記第２のレンズ群移動手段は、前記第１のレンズ群移動手段によるレンズ群の移動に対応して、前記他の１つのレンズ群を遠距離に合焦する位置から至近距離に合焦する位置に移動させる案内溝と、至近距離に合焦する位置から遠距離に合焦する位置に移動させる案内溝とが、交互に形成されていることを特徴とするズームレンズ鏡胴により解決される。
【００１０】
【実施例】
本願発明のズームレンズ鏡胴の実施例を図３乃至図５に基づいて詳細に説明する。
【００１１】
図３は本願発明のズームレンズ鏡胴の分解斜視図、図４はその横断面図であり、鏡胴上半分は焦点距離を広角に設定した図、鏡胴下半分は焦点距離を望遠に選択した図であり、図５は固定板の組み立て説明図である。
【００１２】
１はカメラ本体と一体的に固定された固定胴であり、内周にメスヘリコイド１ａを螺設しており、メスヘリコイド１ａの左右側部には後述する直進ガイド２１のためのガイド溝１ｂがメスヘリコイド１ａを横切って設けられている。２はカム筒であり、外周にメスヘリコイド１ａと螺合するオスヘリコイド２ａと大歯車２ｂとが一体的に形成され、内周にメスヘリコイド２ｃとインナーカムであるカム溝２ｄが形成され、後端部の内方向にリブ２ｅを設けている。また、大歯車２ｂの歯先円はオスヘリコイド２ａの谷径より小さく形成されており、鏡胴の小型化に寄与している。なお、カム筒２と大歯車２ｂを樹脂で一体成形すると、大歯車２ｂはカム筒２の後端面に配置することにより、成形型を分割して成形するのではなく、型の抜き方向に一体の型で成形できるため、精度の高い部品が簡単な型構造で製造できる。
【００１３】
３は前群摺動枠であり、正の合成焦点距離の前群レンズ５を保持する前群鏡枠４を前方からネジにより取り付けている。レンズ系部品の製造寸法誤差は、このネジの部分の取り付け位置を変更し行う。前群摺動枠３の外周にはメスヘリコイド２ｃと螺合するオスヘリコイド３ａと後述する直進ガイド２１のためのガイド溝３ｂとを設け、後述するガイドシャフト１１のための穴３ｃを穿設している。６は後群摺動枠であり、内周にて負の合成焦点距離の後群レンズ７を保持し、外周に後述する直進ガイド２１のためのガイド溝６ａを設けると共にカム溝２ｄと係合する後群カムピン８を埋設し、前方にガイドシャフト１１を突設している。１３はガイドシャフト１１に挿入されるシャフトバネ、１２はシャフトバネ１３の抜け止めのためのＥ形止め輪である。２１は直進ガイドで、左右の突出部２１ａにて固定胴１のガイド溝１ｂと滑合し、もう１つの突出部２１ｂで後述する駆動歯車４４を回転自在に軸支し、前方に折り曲げられた腕部２１ｃにてガイド溝３ｂ及びガイド溝６ａと滑合する。２２はカム筒２と直進ガイド２１とを連結するガイド固定板、２３は直進ガイド２１とガイド固定板２２とを連結し、カム筒２をリブ２ｅにて保持するガイド固定軸、２４は直進ガイド２１をガイド固定軸２３に保持する止めネジである。
【００１４】
３１は鏡胴駆動モータであり、そのシャフト３２にはプロペラ３３が取り付けられ、フォトインタラプタ３４により前群レンズ５及び後群レンズ７の移動量を示す連続的なパルスを発生する。３５はモータに直結したピニオンであり、モータ３１の回転は第１歯車３６、第２歯車３７、第３歯車３８、第４歯車４２により、光軸方向に長い歯車を設けた第５歯車４３に伝達され、更に駆動歯車４４に伝達される。駆動歯車４４はカム筒２の大歯車２ｂと歯合している。第３歯車３８のシャフト３９にはプロペラ４０が取り付けられ、フォトインタラプタ４１により前群レンズ５及び後群レンズ７の移動量を示す断続的なパルスを発生する。このパルス間隔はフォトインタラプタ３４により発生するパルス間隔より広くなるように設定されている。
【００１５】
５２はシャッタ、５３はシャッタ駆動用モータであり、前群摺動枠３に搭載されている。５１はＦＰＣ基板であり、シャッタ駆動用モータ５３と本体側の電装部品を搭載したプリント基板５４とを接続している。ＦＰＣ基板５１は、シャッタ駆動用モータ５３と接続した後、カメラ後方に直進ガイド２１の腕部２１ｃとカム筒２の内周との間隙を通過し、カム筒２の後端で折り返し、カメラ前方にカム筒２の外周と固定胴１との間隙を通過する。固定胴１にカム筒２が最も繰り出されたときのカム筒２の後端よりカメラ前方に穴１ｃが設けられており、ＦＰＣ基板５１は、穴１ｃを通過して固定胴１の外周に引き出され、本体側のプリント基板５４と接続される。なお、５１ａは鏡胴を最も沈胴させた位置におけるＦＰＣ基板５１を示している。６１はカメラ外観形状であり、化粧環６２はカム筒２に、前筒６３は前群摺動枠３に取り付けられている。
【００１６】
次に、ズームレンズ鏡胴の基本動作について説明する。
【００１７】
本実施例のズームレンズ鏡胴は従来技術のズーミングを行う領域内でフォーカシングのためにレンズ駆動停止制御を行う領域が複数個設けられ、同一機構により前群レンズ５及び後群レンズ７を駆動し、ズーミング及びフォーカシングを行う。従って、ズーミング若しくはフォーカシングを行うとき、図示していない信号により駆動モ−タ３１が回転駆動すると、その駆動力が歯車列３５，３６，３７，３８及び４２を通じて第５歯車４３に伝えられ、第５歯車４３は直進ガイド２１に取り付けられている駆動歯車４４に、駆動力を伝える。駆動歯車４４は大歯車２ｂと歯合し、カム筒２を回転させ、固定胴１とヘリコイド螺合しているカム筒２を光軸方向に移動させる。このとき、駆動モ−タ３１の回転方向により、カム筒２は光軸方向に前進または後退を行う。カム筒２のリブ２ｅにはガイド固定板２２、ガイド固定軸２３、止めネジ２４により、直進ガイド２１が一体的に取り付けられているが、直進ガイド２１は左右の突出部２１ａと固定胴１のガイド溝１ｂにより回転を阻止され、光軸方向への移動のみ行う。同様に直進ガイド２１の腕部２１ｃにより、前群摺動枠３はガイド溝３ｂにおいて回転を阻止されている。また、後群摺動枠６に突設したガイドシャフト１１が前群摺動枠３を貫通しているので、後群摺動枠６も前群摺動枠３と共に回転を阻止されている。従って、カム筒２が回転移動したとき、カム筒２とヘリコイド結合している前群摺動枠３及びカム筒２とカム結合している後群摺動枠６は光軸方向に前進または後退のみ行う。
【００１８】
なお、カム筒２のカム溝２ｄはメスヘリコイド２ｃのリード角より小さい傾斜角と大きい傾斜角が交互に繰り返されて形成されており、前群摺動枠３がヘリコイドにより直線的な移動を行うのに対し、後群摺動枠６は山形の不連続な移動を行う。詳細は、後述のズーム線図において説明するが、ズーミング領域内に複数のフォーカシング領域を設けているため、フォーカシング駆動とズーミング駆動を同一の機構で行うことができる。
【００１９】
また、カム筒２の移動に伴って、第５歯車４３と駆動歯車４４との噛み合い位置は光軸方向に変化するが、第５歯車４３が光軸方向に長い歯を設けた歯車なので、この噛み合いはカム筒２の移動に拘わらず、常に維持される。更に、カム筒２のリブ２ｅは直進ガイド２１のスラスト抜け止め以外にリブ内面部はカム筒２の回転を受ける軸受面となっており、駆動力伝達時におけるカム筒２の変形を防止している。
【００２０】
直進ガイド２１とガイド固定板２２が組み込まれる状態を図５（Ａ）及び図５（Ｂ）により説明する。図５（Ａ）において、組立作業性を高めるために、２個の固定板２２は、止めネジ２４により各々１箇所づつ直進ガイド２１に仮止し、直進ガイド２１をカム筒２にカメラ背後から組み込んだ後、止めネジ２４を中心に時計方向に回動させ、図５（Ｂ）の如く止めネジ２４及び止めネジ２５の合計６箇所で直進ガイド２１とネジ止め連結する。このように直進ガイド２１が、単一の部品で固定胴２と前群摺動枠３との直進案内が可能であるので、前群摺動枠３の直進精度が高く、直進動作をさせるためのの駆動力の効率が高い。
【００２１】
図６は本実施例のブロック図であり、図７のズーム線図と共に撮影レンズの作動について説明する。
【００２２】
図７は焦点距離を８ステップに区切ったズーム線図であり、横軸は焦点距離の変化を示し、縦軸は撮影レンズの前群と後群との光軸方向への移動量を示す。前群はヘリコイド駆動により直線的に移動するが、後群はカム筒２のカムにより前群より離間する方向への移動と前群に接近する方向への移動を交互に繰り返し行う。
【００２３】
例えば、焦点距離がＷのとき、ズーム釦ＳＴを押して望遠側にズーミングを１ステップ行うときは、鏡胴駆動モータ３１の所定の回転により発生するフォトインタラプタ４１のパルスをＣＰＵ７０が検出し、ＣＰＵ７０はＷの焦点距離の位置から移動する前群及び後群をＭ１の焦点距離の位置で停止させる。更に、１ステップのズーミングを行うと、焦点距離の位置をＭ１からＭ２に変化させる。
【００２４】
以下にズーミング時の動作を更に詳しく説明する。
【００２５】
Ｗの焦点距離の位置でズーム釦ＳＴを押してＣＰＵ７０にＳＴの信号が入力されると、ＣＰＵ７０は鏡胴駆動モータ３１を正転方向に回転させ、歯車列３５〜３４を介して前群レンズ５及び後群レンズ７が移動されると共にプロペラ４０も回転する。プロペラ４０がフォトインタラプタ４１を通過するときにフォトインタラプタ４１からのＣＰＵ７０への信号が変化したとき、ＣＰＵ７０は鏡胴駆動モータ３１の回転を停止させ、前群レンズ５及び後群レンズ７をＭ１の焦点距離の位置で停止させる。
【００２６】
ズーム釦ＳＴを更に押すと、上記と同様にＭ２〜Ｔの何れかの焦点距離の位置で停止させることができる。
【００２７】
また、レンズ群がＭ１〜Ｔの焦点距離にあるときに、ズーム釦ＳＷを押してＣＰＵ７０にＳＷの信号が入力されると、ＣＰＵ７０は鏡胴駆動モータ３１を逆転方向に回転させ、上記同様にフォトインタラプタ４１からＣＰＵ７０への信号が変化したときに鏡胴駆動モータ３１の回転を停止させ、Ｗ〜Ｍ６の何れかの焦点距離の位置で停止させことができる。
【００２８】
このように、本実施例においてはＷとＴとの間で８ステップのズーミングを行うことができる。
【００２９】
一方、例えば焦点距離がＷのとき、レリーズ釦を押してスイッチＳ１及びＳ２がＯＮされると、図示していないオートフォーカス回路により発生する測距情報がＣＰＵ７０に入力される。ＣＰＵ７０は前記測距情報とズームポジション（Ｗ，Ｍ１〜Ｍ６，Ｔ）に応じて所定パルス数を設定する。ＣＰＵ７０は鏡胴駆動モータ３１を正転方向に回転させ、歯車列３５〜４４を介して前群レンズ５及び後群レンズ７を駆動すると共にプロペラ３３も回転し、フォトインタラプタ３４からＣＰＵ７０にパルスが入力され、パルスカウントを行う。パルスカウントが前記所定パルス数に達すると、鏡胴駆動モータ３１を停止させ、フォーカシングを行う。その後、図示していないシャッタを駆動し、フィルムへの露光を行う。露光完了後、鏡胴駆動モータ３１を逆転方向に回転させ、所定パルス数をカウントして元のズームポジションに復帰した所で鏡胴駆動モータ３１を停止する。
【００３０】
また、焦点距離がＭ１のときは、前群と後群をＭ１とＭ２の間の領域で至近距離から無限大までの領域で合焦させるフォーカシングを行う。
【００３１】
このように、本実施例におけるフォーカシングはいかなる領域においても必ず鏡胴駆動モータ３１の一方向の回転により行われる。これは、後述するファインダの変倍が撮影レンズの変倍に追随して行われるようにするためと、カムや駆動歯車のバックラッシュを吸収するためである。
【００３２】
なお、フォーカシング時のモータ３１の回転方向はいかなる領域でも実施例と逆方向の一方向の回転でもよい。
【００３３】
従って、本ズーム線図においては、無限大に合焦した焦点距離と至近距離に合焦した焦点距離とに段階的に繰り返し変化してズーミングを行い、ＷとＴとの間にあるズーミング領域の全てのステップ間でフォーカシングを行う。
【００３４】
この結果、図７を図１の従来技術のズーム線図と比較すると、焦点距離は図１が４ステップであるのに対して本図は２倍の８ステップに増加しているが、後群が移動する傾斜が増大することなく、円滑な後群作動を行うことができる。
【００３５】
図７において、後群レンズ７がＷの位置からフォーカシングして至近距離（Ｎ）に移動した位置と、後群レンズ７がＷの位置からズーミングしてＭ１に移動した位置とは一致しているが、必ずしも一致させる必要はない。このように一致させた例と一致させない例を図８により説明する。
【００３６】
図８は図７の後群レンズ７のＭ１付近のカム形状を拡大した図であり、図８（Ａ）はＷの位置からフォーカシングして至近距離（Ｎ）に移動した位置と、後群レンズ７がＷの位置からズーミングしてＭ１に移動した位置とを一致させた例であり、図８（Ｂ）は一致させない例である。
【００３７】
図から容易に分かるように、図８（Ｂ）の方がカムの変曲点を滑らかにできるため、レンズ移動時の機械的負荷は図８（Ａ）より少なくて済む。
【００３８】
なお、ここで述べたことは他の焦点距離位置でも同様なことが言える。また、以降に述べる他の実施例においても同様なことが言える。
【００３９】
図７の実施例ではフォーカシングを至近距離から無限遠まで行えるようにしているが、必ずしも無限遠までフォーカシングしなくても良く、有限距離内でフォーカシングを行えるようなカム形状又はレンズ移動制御を行っても良い。
【００４０】
更に、カム形状をレンズ設計基準の無限遠設定位置より更に過無限遠側に延長しておき、レンズ製造上のバラツキによるピント位置のずれの補正用のカムとしておくとピント調整を行いやすくなる。
【００４１】
図９は図１と同一の焦点距離を４ステップに区切ったズーム線図であるが、図７と同様の構成にしているので、後群が移動する傾斜は図１より緩くなっており、カム筒２はより円滑に作動できる。
【００４２】
以上の実施例は前群と後群の２群の移動によるズームレンズについて、説明したがズームレンズを高変倍比にすると３群を移動させる必要がある。このような３群を移動させるズームレンズのズーム線図について、以下説明する。
【００４３】
図１０は、図１と同様な従来技術の焦点距離を４ステップに区切ったズーム線図であり、フォーカシング領域とズームレンズ領域とを別の領域で行っている。但し、図１と相違する点は図９が３群のレンズ群が移動するズームレンズであり、第１群と第３群は各々リードが異なるヘリコイドによる作動により直線的に移動し、第２群のみカムにより山形に繰り返して移動する。
【００４４】
図１１は図７と同様にズーミング領域内にフォーカシング領域が連続して設けられているように構成した３群ズームレンズのズーム線図であり、８ステップに区切っているが、前述と同様に図１０に示した４ステップのズーム線図の第２群と比較してほぼ同様な傾斜で第２群は移動できる。
【００４５】
また、図１２は図１０と同一の４ステップに区切ったズーム線図であるが、図１１と同様にズーミング領域内にフォーカシング領域が連続して設けられているように構成しているので、第２群が移動する傾斜は図１０の第２群より緩くなっている。
【００４６】
なお、図１１及び図１２において、後群に対して山頂が至近距離になり谷が無限大になるような山形の移動を行っているが、山頂が無限大になり谷が至近距離になるような移動を行ってもよい。
【００４７】
また、以上の３群構成のズームレンズの場合でも、鏡胴は図３及び図４と同様に構成できる。即ち、前群レンズ５を第１群レンズ、後群レンズ７を第２群レンズと見なし、後群摺動枠６の後方に第３群レンズを保持する第３群用摺動枠を配置し、第３群用摺動枠を前群摺動枠３よりリードの小さいヘリコイドでカム筒２とヘリコイド螺合させ、直進ガイド２１により回動を阻止させればよい。
【００４８】
次に、本実施例のズームレンズ鏡胴とファインダとの関係について述べる。
【００４９】
前述の如く、ステップズームにおいては、焦点距離は段階的に変化するので、ファインダ倍率も段階的に変化する。図１３はその１例であり、ズーム線図とファインダとの関係を示した図である。同図において、ファインダの視野は無限大（∞）と至近距離（Ｎ）との略中間の距離Ａに設定されている。従って、焦点距離をＷに設定したときレリーズ前に見えるファインダの視野はａの位置に設定されている。同様に、Ｍ１に設定したときはｂの位置、Ｍ８に設定したときはｃの位置、Ｔに設定したときはｄの位置に設定されている。
【００５０】
しかし、図１３の如きズーム線図は下記の問題がある。
【００５１】
同図においては、最も短焦点であるＷは至近距離（Ｎ）に合焦する焦点距離に設定されており、最も長焦点であるＴは無限大（∞）に合焦する焦点距離に設定されている。焦点距離の値をカメラやカタログ等に表示するにあたって、通常はＪＩＳに規定されているように無限の位置で測定した焦点距離を表示する。従って、Ｍ１からＴまでの焦点距離を表示することになるが、ＷとＭ１の間、及びＴとＴＮの間も使用領域であるので、表示した焦点距離の範囲以上にカム筒を回転させなくてはならず、カム筒の円周方向の長さ、即ち外径を充分な長さに形成する必要がある。
【００５２】
ファインダも同図より容易に分かるように同様であり、表示された焦点距離の範囲よりファインダが変倍する範囲をα及びβ分だけ広く設定しなければならず、ファインダの移動範囲が大きくなるため、ファインダの変倍比が大きくなり、ファインダの性能を確保することが困難になる。更に、ファインダ変倍機構の移動量も増え、機械的負荷の増大やファインダ変倍機構の大型化を招く。
【００５３】
これらの問題を解決するためには、図１４に理想的なズーム線図を示すが、同図に示すようにズーム範囲の最も短焦点（Ｗ）位置を無限大に設定し、最も長焦点（Ｔ）位置を至近距離に設定すればよい。無論、最短焦点距離側若しくは最長焦点距離側の何れか一方を設定するのみでも上述した効果を得ることができる。
【００５４】
このように設定することにより、表示する焦点距離はＷからＴＦになるので、カム筒を表示した焦点距離に一致した範囲を移動するように形成すればよい。また、ファインダはａとｂの間を変倍すればよいので、表示した焦点距離の範囲よりα及びβ分だけ狭く設定することができる。
【００５５】
【発明の効果】
請求項１又は請求項２のズームレンズ鏡胴によれば、高変倍比のズームレンズを用いることによりステップ数を増大させても、鏡胴径を増大させることがなく、変倍比、ステップ数及び鏡胴径が従来のステップズーム方式の鏡胴と同一ならば、カムの傾斜を緩く形成でき、機械的負荷が低減する。
【００５６】
請求項３のズームレンズ鏡胴によれば、フォーカシング時にフォーカシング制御を複雑にせずに、カムや駆動歯車のバックラッシュを吸収できるため、フォーカシング精度を向上できる。
【００５７】
請求項４のズームレンズ鏡胴によれば、レンズ移動時の機械的負荷を、より少なくすることができる。
【図面の簡単な説明】
【図１】従来技術のズーム線図である。
【図２】従来技術のズーム線図の拡大図である。
【図３】ズームレンズ鏡胴の分解斜視図である。
【図４】ズームレンズ鏡胴の横断面図である。
【図５】ズームレンズ鏡胴の固定板の組み立て説明図である。
【図６】ズームレンズ鏡胴を搭載したカメラのブロック図である。
【図７】焦点距離を８ステップに区切ったズーム線図である。
【図８】フォーカシング移動とズーミング移動によるレンズ位置を一致させた図と一致させない図である。
【図９】焦点距離を４ステップに区切ったズーム線図である。
【図１０】従来技術の焦点距離を４ステップに区切った３群ズームレンズのズーム線図である。
【図１１】焦点距離を８ステップに区切った３群ズームレンズのズーム線図である。
【図１２】焦点距離を４ステップに区切った３群ズームレンズのズーム線図である。
【図１３】問題のあるズーム線図である。
【図１４】理想的なズーム線図である。
【符号の説明】
１  固定胴
２  カム筒
３  前群摺動枠
４  前群鏡枠
５  前群レンズ
６  後群摺動枠
７  後群レンズ
８  後群カムピン
２１  直進ガイド
３１  鏡胴駆動モータ
３４，４１  フォトインタラプタ
７０  ＣＰＵ
【図１】
0003582022.tif 000002
【図２】
0003582022.tif 000003
【図３】
0003582022.tif 000004
【図４】
0003582022.tif 000005
【図５】
0003582022.tif 000006
【図６】
0003582022.tif 000007
【図７】
0003582022.tif 000008
【図８】
0003582022.tif 000009
【図９】
0003582022.tif 000010
【図１０】
0003582022.tif 000011
【図１１】
0003582022.tif 000012
【図１２】
0003582022.tif 000013
【図１３】
0003582022.tif 000014
【図１４】
0003582022.tif 000015